(57)【要約】【課題】コネクタ接続を解除する際の電気的要素に起因するコネクタ破損を有効に防止すると共に電気機器への影響を防止することができる電源供給装置を提供する。【解決手段】電気機器１への電源供給が電源供給スイッチ１３により制御され、電源供給スイッチ１３とコネクタ２，１２との間にコネクタ接続解除の際に電源供給ライン上の電圧によってコネクタ２，１２が破損しないように監視する電圧監視制御回路１４が設けられている。【選択図】　図１
2004120943.tif 000002
【特許請求の範囲】
【請求項１】
電気機器とコネクタ接続されて前記電気機器へと電源を供給する電源供給装置において、
電気機器への電源供給を制御する電源供給スイッチと、該電源供給スイッチと前記コネクタとの間に設けられて該コネクタの接続を解除する際に電源供給ライン上の電圧によって前記コネクタが破損しないように監視する監視制御部とを備えていることを特徴とする電源供給装置。
【請求項２】
前記監視制御部は、前記電源供給スイッチのオフを検出すると共に、その検出結果に基づいて前記コネクタにかかる電圧を放電させる強制放電回路を備えることを特徴とする請求項１に記載の電源供給装置。
【請求項３】
前記監視制御部は、前記電源供給スイッチのオフを検出すると共に、その検出結果に基づいてコネクタ接続解除を可能とすることを特徴とする請求項１又は請求項２に記載の電源供給装置。
【請求項４】
前記監視制御部は、前記電源供給スイッチのオフを検出すると共に、その検出結果に基づいてコネクタ接続解除が可能となったことを報知する報知部を備えることを特徴とする請求項１乃至請求項３の何れか一つに記載の電源供給装置。
【発明の詳細な説明】
【０００１】
【発明の属する技術分野】
本発明は、電気機器とコネクタ接続されてその電気機器へと電源を供給する電源供給装置に関する。
【０００２】
【従来の技術】
従来から、各種電気機器には、コネクタ接続（コネクタ及びコンタクトプロープ等を含む）によって電源を供給する電源供給装置が周知である。
また、このような電源供給装置には、コネクタ接続部分に電磁ロック手段を設け、電源供給状態に応じてコネクタ接続の可・不可を電磁ロック手段で制御することでコネクタ接続及びコネクタ接続解除時にコネクタ先端部の接触に伴うアーク放電の発生を防止し、そのアーク放電エネルギーによるコネクタの溶損を防止したものが知られている（例えば、特許文献１参照）。
【０００３】
【特許文献１】
特開２００１−２６７０１４号公報（段落番号００１３、図１）
【０００４】
【発明が解決しようとする課題】
ところで、上記の如く構成された電源供給装置にあっては、コネクタ接続状態で電源をオフすることで電流供給経路が断たれて電磁ロックが自動的に解除されてコネクタ接続の解除が可能となるものである。
【０００５】
従って、電源供給の停止と共に電磁ロックは解除されてしまうため、コネクタ接続部付近に残存する電荷（電圧）により、コネクタ接続解除に伴うアーク放電を有効に防止するものではないという問題があった。
また、このアーク放電は電気機器そのものにも影響を与えることがあった。
本発明は、上記問題を解決するため、コネクタ接続を解除する際の電気的要素に起因するコネクタ破損を有効に防止することができる電源供給装置を提供することを目的とする。
【０００６】
【課題を解決するための手段】
その目的を達成するため、請求項１に記載の電源供給装置は、電気機器とコネクタ接続されて前記電気機器へと電源を供給する電源供給装置において、
電気機器への電源供給を制御する電源供給スイッチと、該電源供給スイッチと前記コネクタとの間に設けられて該コネクタの接続を解除する際に電源供給ライン上の電圧によって前記コネクタが破損しないように監視する監視制御部とを備えていることを特徴とする。
【０００７】
また、請求項２に記載の電源供給装置は、前記監視制御部は、前記電源供給スイッチのオフを検出すると共に、その検出結果に基づいて前記コネクタにかかる電圧を放電させる強制放電回路を備えることを特徴とする。
【０００８】
また、請求項３に記載の電源供給装置は、前記監視制御部は、前記電源供給スイッチのオフを検出すると共に、その検出結果に基づいてコネクタ接続解除を可能とすることを特徴とする。
【０００９】
さらに、請求項４に記載の電源供給装置は、前記監視制御部は、前記電源供給スイッチのオフを検出すると共に、その検出結果に基づいてコネクタ接続解除が可能となったことを報知する報知部を備えることを特徴とする。
【００１０】
【発明の実施の形態】
次に、本発明の電源供給装置の実施の形態を図面に基づいて説明する。
図１において、１は被検査装置等の電気機器、２は電気機器１に接続されたコネクタである。尚、この実施の形態では、電気機器１を被検査装置としているが、各種電気機器に適用することができることは勿論である。
【００１１】
また、図１において、１０はバッテリー等の電源１１を有する電源供給装置である。この電源供給装置１０は、図示を略する検査装置に接続され、電気機器１の性能検査等を行うものであるが、ここではその説明及び図示は省略する。尚、この実施の形態では、電気機器１との関係で電源供給装置１０が検査装置に接続されたものとしたが、電源供給先の電気機器１に応じたものとして適用可能であることは勿論である。この際、少なくとも電源１１の電圧は接続される（電源供給する）電気機器１に応じたものであることは勿論である。
【００１２】
電源供給装置１０は、電源１１と接続されてコネクタ２と接続されるコネクタ１２と、この電源１１とコネクタ１２との電源供給ライン上に設けられた電源供給スイッチ１３と、この電源供給スイッチ１３のオンオフ状態を監視すると共に電源供給スイッチ１３とコネクタ１２との間に電気接続された電圧監視制御回路１４と、この電圧監視制御回路１４が電源供給スイッチ１３のオンからオフへの切り換えを検出した際に電源供給ライン上の電圧（電荷）を放電する強制放電回路１５とを備えている。
【００１３】
電源１１は、電気機器１に対して必要な電圧等に変換したうえで電源供給用スイッチ１３がオンしているときにコネクタ１２、コネクタ２を介して電源を供給する。尚、電源供給スイッチ１３は人為的にオンオフ操作されるスイッチである。
電圧監視制御回路１４は、強制放電回路１５のスイッチ１５ａがオンすることで電源供給ライン上の電荷を強制放電した後に、コネクタ２，１２の接続解除が可能となったことを報知する表示ランプ等の表示手段を作動させる。また、電圧監視制御回路１４は、強制放電回路１５の電荷強制放電後に、コネクタ２，１２の接続解除を可能とする接続ロック手段（図示せず）を作動させる。
【００１４】
尚、この接続ロック手段としては、例えば、コネクタ１２に電磁コイルを設けると共にコネクタ２に磁性体を設け、電磁コイルの吸着力を解除することでコネクタ２，１２の接続状態が解除可能となる等が考えられが、コネクタ２，１２の設置位置等はコネクタ２，１２の形状や大きさ、或いは、電気機器１の装置全体に対するコネクタ２の設置位置等を考慮して適宜決定される。
【００１５】
このような構成において、電気機器１の検査が終了し、電気機器１を検査装置から取り外すためにコネクタ２，１２の接続状態を解除するには、電源供給スイッチ１３をオフした後、強制放電回路１５による電荷強制放電後に表示手段１６が解除可能を報知すれば、コネクタ２，１２の接続解除可能状態（ロック解除状態）となっているので、コネクタ２，１２の接続を実際に解除することができる。
【００１６】
図２は、このようなコネクタ２，１２の接続解除に至る電圧監視制御回路１４の制御フローを示す。
【００１７】
（ステップ１）
ステップ１では、電圧監視制御回路１４は、電源供給スイッチ１３が人為的にオフされたか否かが監視され、スイッチオフの場合にはステップ２へと移行し、スイッチオンが継続している場合にはこのステップ１を引き続き監視する。
【００１８】
（ステップ２）
ステップ２では、電源供給ライン上の電圧（電荷）が監視され、ステップ３へと移行する。
【００１９】
（ステップ３）
ステップ３では、電源供給ライン上の電圧（電荷）が所定電圧以下であるか否かが判断され、所定電圧以下、すなわち、放電（自然・強制を問わない）されている場合にはステップ４へと移行し、所定電圧以下でない場合にはステップ５へと移行する。
【００２０】
（ステップ４）
ステップ４では、電磁ロック等のロック状態を解除すると共に表示手段１６を作動させてコネクタ２，１２の接続状態を解除可能とする。
【００２１】
（ステップ５）
ステップ５では、電圧監視制御回路１４内のタイマー（図示せず）を作動させて計時を開始し、ステップ６へと移行する。
【００２２】
（ステップ６）
ステップ６では、タイマーの計時が所定時間を経過したか否かが監視され、所定時間が経過した場合にはステップ７へと移行し、所定時間経過前であれば引き続き所定時間の経過を監視する。
【００２３】
（ステップ７）
ステップ７では、ステップ３で残存する電圧が所定電圧以上であると判断されたことに伴い、自然放電により残存する電圧が所定電圧以下となったかが判断され、所定電圧以下の場合にはステップ４へと以降し、所定電圧以下に自然放電されていない場合にはステップ８へと移行する。
【００２４】
（ステップ８）
ステップ８では、所定時間の自然放電によっても残存する電圧が所定電圧以下とならなかったことから、強制放電回路１５を作動させて（スイッチ１５ａをオンさせ）残存する電圧を自然放電させ、ステップ４へと移行する。
【００２５】
【発明の効果】
本発明の電源供給装置にあっては、以上説明したように構成したことにより、コネクタ接続を解除する際の電気的要素に起因するコネクタ破損を有効に防止すると共に電気機器への影響を防止することができる。
【図面の簡単な説明】
【図１】本発明の実施の形態に係わる電源供給装置を示し、要部のブロック回路図である。
【図２】監視制御部の制御ルーチンを示すフロー図である。
【符号の説明】
１　電気機器
２　コネクタ
１０　電源供給装置
１１　電源
１２　コネクタ
１３　電源供給スイッチ
１４　電圧監視制御回路（監視制御部）
１５　強制放電回路
１６　表示手段
【図１】
2004120943.tif 000003
【図２】
2004120943.tif 000004